(57)【要約】      （修正有）【課題】鉛筆選択蓋に伴い自動的に内部のタッチスイッチ位置が調整され、鉛筆の挿入と取り出しを円滑に行うことができる、電動鉛筆削り器の提供。【解決手段】鉛筆削り器本体１とその前方の鉛筆選択蓋１０を含み、そのうち、該鉛筆選択蓋正面に複数の大きさが異なる鉛筆選択孔１１を設け、且つ、その背面に環状スライド槽１２を開設し、該鉛筆選択蓋を電動鉛筆削り器正面の設置槽内に設置すると共に、該設置槽内１ａの適切な位置に削り孔と複数の位置決め係止部１cを設け、この削り孔付近の適切な位置にタッチスイッチ２０が設置され、且つ、このタッチスイッチは位置決めスライド槽内２１に移動可能に設置され、タッチスイッチの上に環状スライド槽の大きさに対応するスライド部材２２及びタッチボタン２３を設ける。【選択図】図４
0003115564.tif 000002
【実用新案登録請求の範囲】
【請求項１】
鉛筆削り器本体及びその前方に設置される鉛筆選択蓋を含み、該鉛筆選択蓋正面に複数の大きさが異なる鉛筆選択孔を設け、且つ、その背面に環状スライド槽を開設し、該鉛筆選択蓋を該鉛筆削り器本体正面の設置槽内に設置し、該設置槽内の適切な位置に削り孔及び複数の位置決め係止部を設け、該削り孔付近の適切な位置にタッチスイッチが設置され、且つ、該タッチスイッチは位置決めスライド槽内に移動可能に設置され、該タッチスイッチの上に環状スライド槽の大きさに対応するスライド部材とタッチボタンを設置することを特徴とする、電動鉛筆削り器。
【考案の詳細な説明】
【技術分野】
【０００１】
本考案は電動鉛筆削り器に関し、詳細には、鉛筆選択蓋に改良を行い、鉛筆選択蓋の回転に伴い自動的に内部のタッチスイッチの位置が変わり、異なるサイズの鉛筆に対応する、電動鉛筆削り器に関する。
【背景技術】
【０００２】
一般に鉛筆は筆記や図工、製図などに多く用いられており、さまざまな異なるタイプの鉛筆（従来の鉛筆、自動鉛筆、芯を交換できる鉛筆等）があり、従来の鉛筆には多くの欠点があるものの、筆記や図工、製図等においては使用者にとって欠かせないものである。従来の鉛筆は使用前に芯の外側を覆っている木質の外層を削って適切な錐度とし、且つ、その尖端の芯を露出した後、同時に芯前端部を適切な形状に削って使用される。このため、使用時に時間がかかり、使用者にとっては鉛筆をきれいに削ることは困難であり、きれいに削られていない鉛筆は使用上握りにくいという欠点がある。このため、市場には半自動鉛筆削り器や電動鉛筆削り器等の鉛筆削り用具があり、一般的に半自動鉛筆削り器は人力により回転動力を提供し、その内部の刃で鉛筆を予め定めた形状に削るものである。このほか、図１、図２、図３に示すように、電動鉛筆削り器aは、電動モーターによりその中心の刃部a１に動力が提供され、該刃部a１は鉛筆挿入孔a２の中心線と一定の角度を成し、且つ、鉛筆挿入孔a２内部の適切な位置に微動スイッチa３が設置され、この微動スイッチa３はスライド部材a４を押すことで制御され、該スライド部材a４は正面から見ると鉛筆挿入孔a２の半分を遮った状態であり、使用時に鉛筆bを該鉛筆挿入孔a２内に差し込むと、その前端部がスライド部材a４時に当たってスライド部材a４が押され、その推力によりスライド部材a２が一方の方向に回動して微動スイッチa３をオンにし、同時に電動モーターが駆動されて、刃部a１が予め設定された角度で鉛筆bを適切な錐度に削り、使用できるようにするものである。これは使用上非常に便利であるが、市場で販売されている鉛筆bにはさまざまなサイズがあり、鉛筆bが大きすぎれば挿入することができず、小さすぎれば削るときにぐらつき、その効果に影響する。このため、市場には複数の異なる鉛筆挿入孔を備えた回転蓋a５を設けた鉛筆削りが登場しており、これは回転蓋a５の回転を利用して刃部a１に対応する鉛筆挿入孔a２のサイズを変えるものであるが、スライド部材a４を用いたスイッチが鉛筆bの表面に接触し、その接触面積が大きすぎるため阻力が大きく、使用時の鉛筆の挿入と取り出しに不便であるため、改良の必要がある。
【考案の開示】
【考案が解決しようとする課題】
【０００３】
本考案は上述の従来構造の欠点に鑑みて、考案者の関連事業における長年の経験に基づき研究を重ね、斬新な電動鉛筆削り器を提供するものである。
【０００４】
本考案の主な目的は、鉛筆選択蓋に伴い自動的に内部のタッチスイッチ位置が調整され、鉛筆の挿入と取り出しを円滑に行うことができる、電動鉛筆削り器を提供することにある。
【課題を解決するための手段】
【０００５】
上述の目的を達するため、本考案の電動鉛筆削り器は、鉛筆削り器本体とその前方の鉛筆選択蓋を含み、そのうち、該鉛筆選択蓋正面に複数の大きさが異なる鉛筆選択孔を設け、且つ、その背面に環状スライド槽を開設し、該鉛筆選択蓋を電動鉛筆削り器正面の設置槽内に設置すると共に、該設置槽内の適切な位置に削り孔と複数の位置決め係止部を設け、この削り孔付近の適切な位置にタッチスイッチが設置され、このタッチスイッチは位置決めスライド槽内に移動可能に設置され、該タッチスイッチの上に環状スライド槽の大きさに対応するスライド部材及びタッチボタンを設ける。
【０００６】
上述の構造により、組み立て時には、鉛筆選択蓋を電動鉛筆削り器正面の設置槽内に設置し、且つ、タッチスイッチのスライド部材を鉛筆選択蓋背面の環状スライド槽内に合わせて挿入し、環状スライド槽の複数の異なる曲率を利用し、且つ、対応する鉛筆選択孔との間に予め適切な距離を設定しておくことにより、鉛筆選択蓋が回転されると、スライド部材が環状スライド槽内部に沿って移動し、且つ、タッチスイッチを動かして位置決めスライド槽内で線性の移動をさせ、タッチボタンの削り孔内における位置が異なる鉛筆選択孔に伴って変わり、鉛筆の挿入と取り出しを円滑に行うことができ、従来のスイッチがどの鉛筆選択孔に対しても同じ位置にあるため鉛筆の挿入と取り出しに不便であるという欠点を解決する。
【考案を実施するための最良の形態】
【０００７】
本考案の構造、装置及びその特徴について、以下、具体的な実施例と図面に基づき詳細に説明する。
【０００８】
図４、図５、図５Aに示すように、本考案の電動鉛筆削り器は、鉛筆削り器本体１及びその前方の鉛筆選択蓋１０を含む。
【０００９】
そのうち、該鉛筆選択蓋１０は正面に複数の大きさが異なる鉛筆選択孔１１を備え、且つ、その背面に環状スライド槽１２が開設される。該鉛筆選択蓋１０は鉛筆削り器本体１正面の設置槽１a内に設置され、この設置槽１a内の適切な位置に削り孔１b及び複数の位置決め係止部１cを設け、削り孔１b付近の適切な位置にタッチスイッチ２０が設置され、このタッチスイッチ２０は位置決めスライド槽２１内に移動可能に設置される。さらに、このタッチスイッチ２０の上に環状スライド槽１２の大きさに対応するスライド部材２２とタッチボタン２３を設置する。
【００１０】
図６、図７に本考案の使用状態を示す。これらの図に示すように、鉛筆選択蓋１０を回転させると、タッチスイッチ２０のスライド部材２２が環状スライド槽１２に沿ってその内部で移動し、且つ、タッチスイッチ２０を動かして位置決めスライド槽２１内で線性の移動をさせ、環状スライド槽１２の複数の異なる曲率を利用し、且つ、対応する鉛筆選択孔１１との間に予め適切な距離を設定しておくことで、タッチボタン２３の位置が鉛筆選択蓋１０の回転に伴って変わり、自動的に組み合わされる鉛筆選択孔１１の適切な位置に移動する。
【００１１】
上述のように、本考案の電動鉛筆削り器は、鉛筆選択蓋の回転時に、タッチスイッチのスライド部材が環状スライド槽内で移動するとき、タッチスイッチを動かして線性の移動をさせ、タッチスイッチがその位置を変えることで、鉛筆の挿入と取り出しを円滑にする効果を得ることができ、実用性と進歩性を兼ね備えた考案であるため、特許法の規定に基づき、ここに実用新案登録を出願するものである。
【図面の簡単な説明】
【００１２】
【図１】従来の電動鉛筆削り器の側面断面図である。
【図２】従来の電動鉛筆削り器の使用時の動きを示す透視図１である。
【図３】従来の電動鉛筆削り器の使用時の動きを示す透視図２である。
【図４】本考案の立体分解図である。
【図５】本考案の立体外観図である。
【図５Ａ】本考案の部分拡大断面図である。
【図６】本考案の使用時の動きを示す部分拡大断面図１である。
【図７】本考案の使用時の動きを示す部分拡大断面図２である。
【符号の説明】
【００１３】
１                鉛筆削り器本体      
１a              設置槽
１b              削り孔            
１c              位置決め係止部
１０              鉛筆選択蓋    
１１              鉛筆選択孔
１２              環状スライド槽          
２０              タッチスイッチ
２１              位置決めスライド槽 
２２              スライド部材
２３              タッチボタン
【図１】
0003115564.tif 000003
【図２】
0003115564.tif 000004
【図３】
0003115564.tif 000005
【図４】
0003115564.tif 000006
【図５】
0003115564.tif 000007
【図５Ａ】
0003115564.tif 000008
【図６】
0003115564.tif 000009
【図７】
0003115564.tif 000010